(57)【要約】【課題】光パケット信号の伝送効率向上および光源等での消費電力を低減する電気−光変換装置等を提供する。【解決手段】電気−光変換装置は、光源発光安定化時間長値および同期時間長値を記憶する記憶部３０と、外部装置から電気信号の形で受け取ったパケット６の前に同期符号９を付加する同期符号付加処理と、同期符号９の前に光源発光安定化時間長値で示される時間長を有する光源ＯＮ符号１８を付加する光源ＯＮ符号付加処理と、パケット６を予め定めた符号化方法により符号化して符号化パケット１０に変換する符号化処理と、光源ＯＮ符号１８、同期符号９および符号化パケット１０を含む光変換対象パケット７を出力するデータ成形部１と、光変換対象パケット７を光信号に変換して出力する光源３５を含む電気−光変換部３とを備え、光源３５は、光変換対象パケット７の光源ＯＮ符号１８の先端部を受け取った時点から発光を開始する。【選択図】      図１Ａ
2015012314.tif 000002
【特許請求の範囲】
【請求項１】
光源ＯＮ符号の時間長を示す光源発光安定化時間長値を記憶する記憶部と、
外部装置から電気信号の形で受け取ったパケットの前に、前記光源発光安定化時間長値で示される時間長を有する前記光源ＯＮ符号、または、該光源ＯＮ符号に続けて同期符号、を付加する付加処理と、前記パケットを予め定めた符号化方法により符号化して符号化パケットに変換する符号化処理と、前記光源ＯＮ符号および前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光源ＯＮ符号の先端部を受け取った時点から発光を開始する
ことを特徴とする電気−光変換装置。
【請求項２】
光源ＯＮ符号の時間長を示す光源発光安定化時間長値を記憶する記憶部と、
外部装置から電気信号の形で受け取ったパケットの前に、前記光源発光安定化時間長値で示される時間長を有する前記光源ＯＮ符号、または、該光源ＯＮ符号に続けて同期符号、を付加する付加処理と、前記光源ＯＮ符号および前記パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と
を備え、
前記光源は、前記光変換対象パケットの前記光源ＯＮ符号の先端部を受け取った時点から発光を開始する
ことを特徴とする電気−光変換装置。
【請求項３】
光源発光安定化時間長値を記憶する光源情報記憶部と、
外部装置から電気信号の形で受け取ったパケットを予め定めた符号化方法により符号化して符号化パケットに変換する符号化処理と、前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光パケット信号への変換の開始時点よりも前記光源発光安定化時間長値分だけ前の時点から発光を開始する
ことを特徴とする電気−光変換装置。
【請求項４】
光源発光安定化時間長値を記憶する光源情報記憶部と、
外部装置から電気信号の形で受け取ったパケットを含む光変換対象パケットを電気信号の形で外部に出力する出力処理を行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光パケット信号への変換の開始時点よりも前記光源発光安定化時間長値分だけ前の時点から発光を開始する
ことを特徴とする電気−光変換装置。
【請求項５】
前記光源発光安定化時間長値は、実際に使用される前記光源が発光を開始し始めてから発光が安定するまでの時間に等しい値である
ことを特徴とする請求項１乃至４のいずれかに記載の電気−光変換装置。
【請求項６】
同期符号の時間長を示す同期時間長値を記憶する記憶部と、
外部装置から電気信号の形で受け取ったパケットの前に、前記同期時間長値で示される時間長値を有する前記同期符号を付加する同期符号付加処理と、前記パケットを予め定めた符号化方法により符号化して符号化パケットに変換する符号化処理と、前記同期符号および前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する電気−光変換部と
を備えたことを特徴とする電気−光変換装置。
【請求項７】
同期符号の時間長を示す同期時間長値を記憶する記憶部と、
外部装置から電気信号の形で受け取ったパケットの前に、前記同期時間長値で示される時間長値を有する前記同期符号を付加する同期符号付加処理と、前記同期符号および前記パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する電気−光変換部と
を備えたことを特徴とする電気−光変換装置。
【請求項８】
前記同期時間長値は、前記光パケットを受信する装置で実際に使用される同期回路での同期の確立に要する実際の時間に等しい値である
ことを特徴とする請求項６または７に記載の電気−光変換装置。
【請求項９】
光源ＯＮ符号の時間長を示す光源発光安定化時間長値を記憶部から読み出す時間長値読み出しステップと、
外部装置から電気信号の形で受け取ったパケットの前に、前記読み出しステップで読み出された前記光源発光安定化時間長値で示される時間長を有する光源ＯＮ符号、または、該光源ＯＮ符号に続けて同期符号、を付加する付加ステップと、
前記パケットを予め定められた符号化方法により符号化して符号化パケットに変換する符号化ステップと、
前記光源ＯＮ符号および前記符号化パケットを含む光変換対象パケットを、光源を含む電気−光変換部により光信号に変換し、光パケット信号として送信先へ送出する光変換ステップと
を含み、
前記光変換ステップにおいて、前記光源は、前記光変換対象パケットの前記光源ＯＮ符号の先端部を受け取った時点から発光を開始する
ことを特徴とする電気−光変換方法。
【請求項１０】
光源ＯＮ符号の時間長を示す光源発光安定化時間長値を記憶部から読み出す時間長値読み出しステップと、
外部装置から電気信号の形で受け取ったパケットの前に、前記読み出しステップで読み出された前記光源発光安定化時間長値で示される時間長を有する前記光源ＯＮ符号、または、該光源ＯＮ符号に続けて同期符号、を付加する付加ステップと、
前記光源ＯＮ符号、および前記パケットを含む光変換対象パケットを、光源を含む電気−光変換部により光信号に変換し、光パケット信号として送信先に送出する光変換ステップと
を含み、
前記光変換ステップにおいて、前記光源は、前記光変換対象パケットの前記光源ＯＮ符号の先端部を受け取った時点から発光を開始する
ことを特徴とする電気−光変換方法。
【発明の詳細な説明】
【技術分野】
【０００１】
本発明は、電気パケット信号を光パケット信号に変換する電気−光変換装置および電気−光変換方法に関する。
【背景技術】
【０００２】
光パケット交換技術を使用した一般的な通信システムを図３Ａに示す。
【０００３】
図３Ａを参照すると、本通信システムは、情報処理装置（例えば、パーソナルコンピュータ）等の外部装置１〜ｎと、外部装置１〜ｎと一対一対応に接続されたＯＮＵ（「Ｏｐｔｉｃａｌ＿Ｎｅｔｗｏｒｋ＿Ｕｎｉｔ」の略称。一般に、「光加入者装置」と翻訳される。）１〜ｎと、ＯＬＴ（「Ｏｐｔｉｃａｌ＿Ｌｉｎｅ＿Ｔｅｒｍｉｎａｌ」の略称。一般に、「光終端装置」と翻訳される。）と、他の情報処理装置（例えば、サーバ）等の対向装置と、ＯＬＴと対向装置とを接続するインターネット等から構成される。なお、ＯＮＵ１〜ｎは、電気−光変換装置の一種である。
【０００４】
図３Ｂは、図３Ａに示す通信システムにおいて、各ＯＮＵからＯＬＴに向う（上りの）光パケット信号の構成を説明するための図である。図３Ｂを参照すると、光パケット信号は、それぞれ同期符号および各ＯＮＵからの対応するパケットの組から成る。また、各光パケット信号の間は、無信号となっている。
【０００５】
次に、各ＯＮＵの構成および動作について図４Ａを参照して説明する。図４Ａは、一般的なＯＮＵの構成を説明するためのブロック図である。
図４Ａを参照すると、各ＯＮＵ５４は、データ成形部５１と、電気−光変換部５３とを含む。
【０００６】
各ＯＮＵ５４内のデータ成形部５１は、対応する外部装置から電気信号の形で送信されて来る各パケット６（プリアンブルや送信先アドレスや送信データ等を所定のフォーマットに従って一つにまとめた伝送単位。「電気パケット信号」とも言う。）を受け取ると、パケット６の前に所定の時間長の同期符号を付加するとともに、この同期符号の前に光源ＯＮ符号を、パケット６の後ろに光源ＯＦＦ符号をそれぞれ付加し、こうして同期符号、光源ＯＮ符号および光源ＯＦＦ符号を付加したパケットを同期符号付パケットとして電気−光変換部５３へ渡す。
【０００７】
電気−光変換部５３は、この同期符号付パケットに対して所定の光変調を行い、こうして同期符号付パケットに対して所定の光変調を行ったものを、後述する光パケット信号１３として光ファイバ３２を介してＯＬＴ１４に送信する。ここで、図４Ｂに示す信号例のように、光パケット信号１３は、発光安定状態推移部２０と、同期符号が光変調された光同期符号１１と、パケット６が光変調された光パケット１２と、発光停止状態推移部２１とから構成される。図４Ｂは、一般的なＯＮＵにおける光パケット信号を説明するための図である。
【０００８】
上述した発光安定状態推移部２０の長さ（時間長）は、電気−光変換部５３に設けられた図示していない光源（例えば、レーザーダイオード）に電力を供給してから該光源の発光が安定する迄の時間を考慮して所定の時間長に定められている。
【０００９】
また、上述した発光停止状態推移部２１の長さ（時間長）も、光源への電力の供給を停止してから該光源の発光が完全に停止する迄の時間を考慮して所定の時間長に定められている。
【００１０】
なお、光同期符号１１は、光パケット信号１３を受信するＯＬＴ１４が同期を確立するために使用される。
【００１１】
また、発光安定状態推移部２０および発光停止状態推移部２１の長さ（時間長）は、例えば、電気電子技術者協会（「Ｉｎｓｔｉｔｕｔｅ＿Ｏｆ＿Ｅｌｅｃｔｒｉｃａｌ＿ａｎｄ＿Ｅｌｅｃｔｒｏｎｉｃ＿Ｅｎｇｉｎｅｅｒｓ」。「ＩＥＥＥ」とも略称される。）により規定された標準規格８０２．３（非特許文献１を参照）では、５１２ナノ秒（ｎｓ）、と定められており、また、光同期符号１１の長さ（時間長）は、同標準規格では、４００ｎｓと定められている。
【００１２】
尚、特許文献１には、光中継装置の状態を監視する監視情報を用いて隣接する光パケット信号の間にある無信号期間を埋めて光連続信号に変換し、そうすることで光源の発光を安定にする技術が記載されている。
【先行技術文献】
【特許文献】
【００１３】
【特許文献１】特開２００９−０２１８７４号公報
【非特許文献】
【００１４】
【非特許文献１】ＩＥＥＥ＿Ｓｔｄ．＿８０２．３，“ＩＥＥＥ＿Ｓｔａｎｄａｒｄ＿ｆｏｒ＿Ｉｎｆｏｒｍａｔｉｏｎ＿ｔｅｃｈｎｏｌｏｇｙ−Ｔｅｌｅｃｏｍｍｕｎｉｃａｔｉｏｎｓ＿ａｎｄ＿ｉｎｆｏｒｍａｔｉｏｎ＿ｅｘｃｈａｎｇｅ＿ｂｅｔｗｅｅｎ＿ｓｙｓｔｅｍｓ−Ｌｏｃａｌ＿ａｎｄ＿ｍｅｔｒｏｐｏｌｉｔａｎ＿ａｒｅａ＿ｎｅｔｗｏｒｋｓ−Ｓｐｅｃｉｆｉｃ＿ｒｅｑｕｉｒｅｍｅｎｔｓ、Ｐａｒｔ＿３：Ｃａｒｒｉｅｒ＿Ｓｅｎｓｅ＿Ｍｕｌｔｉｐｌｅ＿Ａｃｃｅｓｓ＿ｗｉｔｈ＿Ｃｏｌｌｉｓｉｏｎ＿Ｄｅｔｅｃｔｉｏｎ＿（ＣＳＭＡ＿ＣＤ）＿Ａｃｃｅｓｓ＿Ｍｅｔｈｏｄ＿ａｎｄ＿Ｐｈｙｓｉｃａｌ＿Ｌａｙｅｒ＿Ｓｐｅｃｉｆｉｃａｔｉｏｎｓ、Ａｍｅｎｄｍｅｎｔ：Ｍｅｄｉａ＿Ａｃｃｅｓｓ＿Ｃｏｎｔｒｏｌ＿Ｐａｒａｍｅｔｅｒｓ，Ｐｈｙｓｉｃａｌ＿Ｌａｙｅｒｓ，ａｎｄ＿Ｍａｎａｇｅｍｅｎｔ＿Ｐａｒａｍｅｔｅｒｓ＿ｆｏｒ＿Ｓｕｂｓｃｒｉｂｅｒ＿Ａｃｃｅｓｓ＿Ｎｅｔｗｏｒｋｓ、ｐａｇｅ３１４−３１５、６０．７．１３．１＿Ｌａｓｅｒ＿Ｏｎ＿Ｏｆｆ＿ｔｉｍｉｎｇ＿ｍｅａｓｕｒｅｍｅｎｔ、“，２４ｔｈ＿Ｊｕｎｅ，＿２００４
【発明の概要】
【発明が解決しようとする課題】
【００１５】
しかしながら、図４Ｂに示す信号例のように、光源の性能の向上により、光源に電力が供給されてから光源の発光が安定するまでの時間や光源への電力の供給を停止してから光源の発光が完全に停止するまでの時間が、上記標準規格８０２．３等に規定された所定の時間よりも短い場合がある。
【００１６】
例えば、図４Ｂに示した信号例では、光源の発光が２００ｎｓという短時間で安定するにも関わらず、上記標準規格８０２．３に規定された５１２ｎｓが経過する迄、３１２ｎｓ（待ち時間Ａ）だけ無駄に待たなければならず、光パケット信号１３の伝送効率が低下するという問題点が図４Ａに示した通信システムにはある。
【００１７】
また、待ち時間Ａの期間分も光源に余計に電力が供給されるので、その分だけ消費電力が大きくなるという問題点も図４Ａに示した通信システムにはある。
【００１８】
さらに、図５Ａ、図５Ｂに示すように、ＯＬＴ１４に設けられた同期回路１６の性能が高い場合には、同期を確立するまでの時間が上記標準規格８０２．３に規定された４００ｎｓよりも短くなる。図５Ａは、一般的なＯＬＴの構成を説明するためのブロック図である。また、図５Ｂは、一般的なＯＬＴにおける光パケット信号を説明するための図である。
【００１９】
例えば、図５Ｂに示す信号例のように、同期回路１６は、１００ｎｓという短時間で同期を確立することができるにも関わらず、上記標準規格８０２．３に規定された４００ｎｓが経過するまでの残りの３００ｎｓ（待ち時間Ｂ）の間だけ光パケット１２の受信が無駄に待たされるため、受信効率が悪いという問題点が図５Ａに示した通信システムにはある。
【００２０】
また、上記待ち時間Ｂの期間も光源に電力が供給されるため、その分だけＯＮＵ５４の消費電力が大きくなるという問題点も図５Ａに示した通信システムにはある。
【００２１】
尚、特許文献１は、光連続信号を用いており、光源ＯＮ符号や光源ＯＦＦ符号を使用することについては何ら開示していない。
【００２２】
本発明の目的は、上述した問題点を解決する電気−光変換装置および電気−光変換方法を提供することにある。
【課題を解決するための手段】
【００２３】
本発明の電気−光変換装置は、
光源ＯＮ符号の時間長を示す光源発光安定化時間長値を記憶する記憶部と、
外部装置から電気信号の形で受け取ったパケットの前に、前記光源発光安定化時間長値で示される時間長を有する前記光源ＯＮ符号、または、該光源ＯＮ符号に続けて同期符号、を付加する付加処理と、前記パケットを予め定めた符号化方法により符号化して符号化パケットに変換する符号化処理と、前記光源ＯＮ符号および前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光源ＯＮ符号の先端部を受け取った時点から発光を開始する。
【００２４】
また、本発明の他の電気−光変換装置は、
同期符号の時間長を示す同期時間長値を記憶する記憶部と、
外部装置から電気信号の形で受け取ったパケットの前に、前記同期時間長値で示される時間長値を有する前記同期符号を付加する同期符号付加処理と、前記パケットを予め定めた符号化方法により符号化して符号化パケットに変換する符号化処理と、前記同期符号および前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する電気−光変換部と
を備える。
【００２５】
また、本発明の他の電気−光変換装置は、
光源ＯＮ符号の時間長を示す光源発光安定化時間長値を記憶する記憶部と、
外部装置から電気信号の形で受け取ったパケットの前に、前記光源発光安定化時間長値で示される時間長を有する前記光源ＯＮ符号、または、該光源ＯＮ符号に続けて同期符号、を付加する付加処理と、前記光源ＯＮ符号、および前記パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と
を備え、
前記光源は、前記光変換対象パケットの前記光源ＯＮ符号の先端部を受け取った時点から発光を開始する。
【００２６】
また、本発明の他の電気−光変換装置は、
同期符号の時間長を示す同期時間長値を記憶する記憶部と、
外部装置から電気信号の形で受け取ったパケットの前に、前記同期時間長値で示される時間長値を有する前記同期符号を付加する同期符号付加処理と、前記同期符号および前記パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する電気−光変換部と
を備える。
【００２７】
また、本発明の他の電気−光変換装置は、
光源発光安定化時間長値を記憶する光源情報記憶部と、
外部装置から電気信号の形で受け取ったパケットを予め定めた符号化方法により符号化して符号化パケットに変換する符号化処理と、前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光パケット信号への変換の開始時点よりも前記光源発光安定化時間長値分だけ前の時点から発光を開始する。
【００２８】
また、本発明の他の電気−光変換装置は、
光源発光安定化時間長値を記憶する光源情報記憶部と、
外部装置から電気信号の形で受け取ったパケットを含む光変換対象パケットを電気信号の形で外部に出力する出力処理を行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光パケット信号への変換の開始時点よりも前記光源発光安定化時間長値分だけ前の時点から発光を開始する。
【００２９】
また、本発明の電気−光変換方法は、
光源ＯＮ符号の時間長を示す光源発光安定化時間長値を記憶部から読み出す時間長値読み出しステップと、
外部装置から電気信号の形で受け取ったパケットの前に、前記読み出しステップで読み出された前記光源発光安定化時間長値で示される時間長を有する光源ＯＮ符号、または、該光源ＯＮ符号に続けて同期符号、を付加する付加ステップと、
前記パケットを予め定められた符号化方法により符号化して符号化パケットに変換する符号化ステップと、
前記光源ＯＮ符号および前記符号化パケットを含む光変換対象パケットを、光源を含む電気−光変換部により光信号に変換し、光パケット信号として送信先へ送出する光変換ステップと
を含み、
前記光変換ステップにおいて、前記光源は、前記光変換対象パケットの前記光源ＯＮ符号の先端部を受け取った時点から発光を開始する。
また、本発明の他の電気−光変換方法は、
光源ＯＮ符号の時間長を示す光源発光安定化時間長値を記憶部から読み出す時間長値読み出しステップと、
外部装置から電気信号の形で受け取ったパケットの前に、前記読み出しステップで読み出された前記光源発光安定化時間長値で示される時間長を有する前記光源ＯＮ符号、または、該光源ＯＮ符号に続けて同期符号、を付加する付加ステップと、
前記光源ＯＮ符号、および前記パケットを含む光変換対象パケットを、光源を含む電気−光変換部により光信号に変換し、光パケット信号として送信先に送出する光変換ステップと
を含み、
前記光変換ステップにおいて、前記光源は、前記光変換対象パケットの前記光源ＯＮ符号の先端部を受け取った時点から発光を開始する。
【発明の効果】
【００３０】
本発明には、光パケット信号の伝送効率の向上および光源等での消費電力の低減を達成できるという効果がある。
【図面の簡単な説明】
【００３１】
【図１Ａ】本発明の第１の実施形態を示すブロック図である。
【図１Ｂ】本発明の第１の実施形態におけるＯＮＵから光ファイバを介してＯＬＴに向う光パケット信号を説明するための図である。
【図２Ａ】本発明の第２の実施形態を示すブロック図である。
【図２Ｂ】本発明の第２の実施形態におけるＯＮＵから光ファイバを介してＯＬＴに向う光パケット信号を説明するための図である。
【図３Ａ】光パケット交換技術を使用した一般的な通信システムを示す図である。
【図３Ｂ】光パケット交換技術を使用した一般的な通信システムにおいて各ＯＮＵからＯＬＴに向う（上りの）光パケット信号の構成を説明するための図である。
【図４Ａ】一般的なＯＮＵの構成を説明するためのブロック図である。
【図４Ｂ】一般的なＯＮＵにおける光パケット信号を説明するための図である。
【図５Ａ】一般的なＯＬＴの構成を説明するためのブロック図である。
【図５Ｂ】一般的なＯＬＴにおける光パケット信号を説明するための図である。
【発明を実施するための形態】
【００３２】
次に、本発明の実施形態について図面を参照して詳細に説明する。
【００３３】
＜第１の実施形態＞
図１Ａは、本発明の第１の実施形態を表すブロック図である。
【００３４】
図１Ａを参照すると、本実施形態に係る通信システムは、ＯＮＵ４と、ＯＬＴ１４と、対向装置１５とを含む。
【００３５】
ＯＮＵ４は、データ成形部１と、電気−光変換部３と、記憶部３０とを含む。さらに、電気−光変換部３は、光源３５を含む。記憶部３０は、後述する同期時間長値、光源発光安定化時間長値および光源発光停止時間長値を予め記憶する。
【００３６】
ＯＬＴ１４は、同期回路１６を含む。
【００３７】
対向装置１５は、例えば、サーバ装置等の情報処理装置である。
【００３８】
また、図１Ｂには、ＯＮＵ４から光ファイバ３２を介してＯＬＴ１４に向う光パケット信号１３の構成を示す。
【００３９】
光パケット信号１３は、発光安定状態推移部２０と、光同期符号１１と、光パケット１２と、発光停止状態推移部２１とから構成される。
【００４０】
図４Ａ、図４Ｂおよび図５Ａ、図５Ｂに関連して上述したように、データ成形部１は、例えば、図１Ａに示したようなパーソナルコンピュータ等の外部装置からＬＡＮ（「Ｌｏｃａｌ＿Ａｒｅａ＿Ｎｅｔｗｏｒｋ」の略称）等の電気通信回線を介して電気信号の形で送信されて来るパケット（「電気パケット信号」とも言う。）６を受け取ると、受け取ったそのパケット６の前に所定の時間長を有する同期符号９を付加するとともに、パケット６を所定の符号化方法により符号化して符合化パケット１０に変換する。なお、本実施形態ではパケット６を符号化しているが、通信規格によってはこのような符号化を行わない場合もあることは言うまでもない。また、本実施形態では同期符号９を付加しているが、通信規格によってはこのような付加を行わない場合もあることは言うまでもない。
【００４１】
なお、同期符号９およびパケット１０は、複数の論理「１」（例えば、電圧（または電流）レベルが０以上の所定のレベル）信号および複数の論理「０」（例えば、電圧（または電流）レベルが０）信号からなるデジタル信号である。
【００４２】
さらに、データ成形部１は、同期符号９の前に光源ＯＮ符号１８を、符合化パケット１０の後ろに光源ＯＦＦ符号１９をそれぞれ付加してなる光変換対象パケット７を生成して、電気−光変換部３に送る。尚、光変換対象パケット７の前後は有意な信号が何も無い無信号状態８である。
【００４３】
光源ＯＮ符号１８は一つの論理「１」信号のみからなるデジタル信号であり、また、光源ＯＦＦ符号１９は一つの論理「０」信号のみからなるデジタル信号である。
【００４４】
ここで、光変換対象パケット７における同期符号９、光源ＯＮ符号１８および光源ＯＦＦ符号１９の時間長は、記憶部３０に予め記憶されている同期時間長値、光源発光安定化時間長値および光源発光停止時間長値と同じ値に設定される。これらの値は、ＯＬＴ１４内の同期回路１６において同期に要する実際の時間、電気−光変換部３内の光源３５が発光を開始し始めてから発光が安定するまでの実際の時間、および、光源３５の発光が停止し始めてから完全に発光が停止するまでの実際の時間と等しい値である。
【００４５】
すなわち、使用する同期回路１６および光源３５の性能に応じて最適な同期時間長値、光源発光安定化時間長値および光源発光停止時間長値が記憶部３０に記憶されている。
【００４６】
電気−光変換部３は、受信した電気信号を直接、または、必要に応じて所定の光変調方法で変調して、光信号に変換する機能を有する。
【００４７】
すなわち、電気−光変換部３は、データ成形部１から電気信号の形で受信した光変換対象パケット７を、発光安定状態推移部２０、光同期符号１１、光パケット１２および発光停止状態推移部２１から成る光パケット信号１３（図１Ｂに示した信号例を参照。）に変換し、該光パケット信号１３を光ファイバ３２を介してＯＬＴ１４に送信する。
【００４８】
具体的には、電気−光変換部３内の光源３５は、データ成形部１から電気信号の形で送られてくる光変換対象パケット７の先頭にある光源ＯＮ符号１８の先端部を受け取った時点から発光を開始し、その発光開始時点から光源ＯＮ符号１８の時間長だけ経過した時点で、光源３５の発光は安定状態に達する（図１Ｂに示した信号例の発光安定状態推移部２０を参照。）。その後、光源３５は同期符号９および符号化パケット１０を受け取り、これらを光同期符号１１および光パケット１２に光変換する。その後、光源ＯＦＦ符号１９の先端部を受け取った時点から光源３５の発光停止が開始し、その発光停止開始時点から光源ＯＦＦ符号１９の時間長だけ経過した瞬間に光源３５の発光は停止する（図１Ｂに示した信号例の発光停止状態推移部２１を参照。）。
【００４９】
なお、データ成形部１から電気信号の形で送られてくる光変換対象パケット７を構成する論理「１」信号および論理「０」信号のレベル（電圧（または電流）レベル）は、光源３５に送られる前に、必要に応じて、光源３５の駆動に適したレベルに変換される。さらに、データ成形部１から電気信号の形で送られてくる光変換対象パケット７は、光源３５に送られる前に、必要に応じて所定の光変調方法で変調される。
【００５０】
上述したように、本実施形態では、記憶部３０に予め記憶された、使用する同期回路１６および光源３５の性能に応じた最適な同期時間長値、光源発光安定化時間長値および光源発光停止時間長値に従って同期符号９、光源ＯＮ符号１８および光源ＯＦＦ符号１９の時間長を決定しているため、図４Ｂに関連して説明した「待ち時間Ａ」および図５Ｂに関連して説明した「待ち時間Ｂ」がなくなる（図１Ｂに示した信号例を参照。）。
【００５１】
なお、使用する同期回路１６または光源３５を交換等した場合には、交換した同期回路１６または光源３５の性能に応じて、記憶部３０に記憶する同期時間長値、光源発光安定化時間長値または光源発光停止時間長値を最適値に変更すればよいことは言うまでもない。
【００５２】
以上、本実施形態には、光パケット信号の伝送効率の向上および光源等での消費電力の低減を達成できるという効果がある。
【００５３】
その理由は、ＩＥＥＥ８０２．３標準規格等の標準規格で規定された時間より短い時間長を有する同期符号、光源ＯＮ符号および光源ＯＦＦ符号を使用した光パケット信号を生成できるからである。
【００５４】
＜第２の実施形態＞
図２Ａは、本発明の第２の実施形態を表すブロック図である。
【００５５】
図２Ａを参照すると、本実施形態の構成は、第１の実施形態のそれとほぼ同じであるが、第１の実施形態では、データ成形部１内の記憶部３０に同期時間値、光源発光安定化時間長値および光源発光停止時間長値を記憶しているのに対して、本実施形態では、該同期時間値をデータ成形成部１００内の同期情報記憶部３３に記憶するとともに、該光源発光安定化時間長値を電気−光変換部３００内の光源情報記憶部３４に記憶する。
【００５６】
以下では、本実施形態における特徴的な部分を中心に説明し、上述した第１の実施形態の構成要素と同一の本実施形態の構成要素には、同一の参照番号を付与し、それらの構成要素についての重複する説明は省略する。また、本実施形態の各構成要素の動作については、第１の実施形態のそれと異なる点を中心に説明する。
【００５７】
データ成形部１００は、外部装置から電気信号の形で送信されて来るパケット６を受け取ると、受け取ったそのパケット６の前に所定の時間長を有する同期符号９を付加するとともに、パケット６を所定の符号化方法により符号化して符合化パケット１０に変換し、同期符号９および符合化パケット１０からなる光変換対象パケット１７を生成し、電気−光変換部３に送る。なお、本実施形態ではパケット６を符号化しているが、通信規格によってはこのような符号化を行わない場合もあることは言うまでもない。また、本実施形態では同期符号９を付加しているが、通信規格によってはこのような付加を行わない場合もあることは言うまでもない。
【００５８】
その際、光変換対象パケット１７における同期符号９の時間長は、同期情報記憶部３３に予め記憶された同期時間長値と同じ値に設定される。すなわち、使用する同期回路１６の性能に応じて最適な同期時間長値が、同期情報記憶部３３に記憶されている。
【００５９】
電気−光変換部３は、データ成形部１から電気信号の形で受け取った光変換対象パケット１７を受け取ると、光源情報記憶部３４に予め記憶された光源発光安定化時間長値を読み出し、光源３５に所定の信号（例えば、論理「１」の信号）を供給して、発光を開始させる。
【００６０】
光源３５の発光が開始してから上記光源発光安定化時間長値に相当する時間が経過した時点（すなわち、光源３５の発光が安定した時点）で、電気−光変換部３は、光変換対象パケット１７を光源３５に供給し、光変換する。
【００６１】
この結果、発光安定状態推移部２０、光同期符号１１、光パケット１２および発光停止状態推移部２１からなる光パケット信号１３が光ファイバ３２に光源３５から出力される。（図２Ｂに示す信号例を参照。）。図２Ｂは、第２の実施形態におけるＯＮＵ４から光ファイバ３２を介してＯＬＴ１４に向う光パケット信号１３を説明するための図である。
【００６２】
ここで、図２Ｂに示す信号例において、発光安定状態推移部２０は、光源３５が発光してからその発光が安定するまでの様子を示し、その時間長は上記光源発光安定化時間長値に対応する。また、発光停止状態推移部２１は、光パケット１２の出力が終了し、光源３５の発光の停止が開始してから発光が完全に停止するまでの様子を示している。
【００６３】
以上、本実施形態には、第１の実施形態が有する効果と同様に、光パケット信号の伝送効率の向上および光源等での消費電力の低減を達成できるという効果がある。
【００６４】
その理由は、ＩＥＥＥ８０２．３標準規格等の標準規格で規定された時間より短い時間長を有する同期符号および光源発光安定化時間を使用して光パケット信号を生成できるからである。
【００６５】
尚、上述した各実施形態およびその変形例の一部又は全部は、以下の付記のようにも記載されうる。しかしながら、上述した実施形態及びその実施例により例示的に説明した本発明は、以下には限らない。即ち、
（付記１）
光源ＯＮ符号の時間長を示す光源発光安定化時間長値を記憶する記憶部と、
外部装置から電気信号の形で受け取ったパケットの前に、前記光源発光安定化時間長値で示される時間長を有する前記光源ＯＮ符号、または、該光源ＯＮ符号に続けて同期符号、を付加する付加処理と、前記パケットを予め定めた符号化方法により符号化して符号化パケットに変換する符号化処理と、前記光源ＯＮ符号および前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光源ＯＮ符号の先端部を受け取った時点から発光を開始する
ことを特徴とする電気−光変換装置。
（付記２）
光源ＯＮ符号の時間長を示す光源発光安定化時間長値を記憶する記憶部と、
外部装置から電気信号の形で受け取ったパケットの前に、前記光源発光安定化時間長値で示される時間長を有する前記光源ＯＮ符号、または、該光源ＯＮ符号に続けて同期符号、を付加する付加処理と、前記光源ＯＮ符号、および前記パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と
を備え、
前記光源は、前記光変換対象パケットの前記光源ＯＮ符号の先端部を受け取った時点から発光を開始する
ことを特徴とする電気−光変換装置。
（付記３）
光源発光安定化時間長値を記憶する光源情報記憶部と、
外部装置から電気信号の形で受け取ったパケットを予め定めた符号化方法により符号化して符号化パケットに変換する符号化処理と、前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光パケット信号への変換の開始時点よりも前記光源発光安定化時間長値分だけ前の時点から発光を開始する
ことを特徴とする電気−光変換装置。
（付記４）
光源発光安定化時間長値を記憶する光源情報記憶部と、
外部装置から電気信号の形で受け取ったパケットを含む光変換対象パケットを電気信号の形で外部に出力する出力処理を行うデータ成形部と、
前記データ成形部から電気信号の形で出力される前記光変換対象パケットを受け取り、受け取った前記光変換対象パケットを光信号に変換して、光パケット信号として外部に出力する光源を含む電気−光変換部と、
を備え、
前記光源は、前記光変換対象パケットの前記光パケット信号への変換の開始時点よりも前記光源発光安定化時間長値分だけ前の時点から発光を開始する
ことを特徴とする電気−光変換装置。
（付記５）
前記光源発光安定化時間長値は、実際に使用される前記光源が発光を開始し始めてから発光が安定するまでの時間に等しい値である
ことを特徴とする付記１乃至４のいずれかに記載の電気−光変換装置。
（付記６）
前記記憶部は、光源ＯＦＦ符号の時間長を示す光源発光停止時間長値を記憶し、
前記電気−光変換部は、前記外部装置から電気信号の形で受け取ったパケットの後に前記光源発光停止時間長値で示される時間長を有する前記光源ＯＦＦ符号を付加する光源ＯＦＦ符号付加処理を行い、前記出力処理おいて、前記符号化パケットおよび前記光源ＯＦＦ符号を含む光変換対象パケットを電気信号の形で外部に出力し、
前記光源は、前記光変換対象パケットの前記光源ＯＦＦ符号の先端部を受け取った時点から発光の停止を開始する
ことを特徴とする付記１または２記載の電気−光変換装置。
（付記７）
前記光源発光停止時間長値は、実際に使用される前記光源の発光が停止し始めてから完全に発光が停止するまでの時間と等しい値である
ことを特徴とする付記６記載の電気−光変換装置。
（付記８）
同期符号の時間長を示す同期時間長値を記憶する記憶部と、
外部装置から電気信号の形で受け取ったパケットの前に、前記同期時間長値で示される時間長値を有する前記同期符号を付加する同期符号付加処理と、前記パケットを予め定めた符号化方法により符号化して符号化パケットに変換する符号化処理と、前記同期符号および前記符号化パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する電気−光変換部と
を備えたことを特徴とする電気−光変換装置。
（付記９）
同期符号の時間長を示す同期時間長値を記憶する記憶部と、
外部装置から電気信号の形で受け取ったパケットの前に、前記同期時間長値で示される時間長値を有する前記同期符号を付加する同期符号付加処理と、前記同期符号および前記パケットを含む光変換対象パケットを電気信号の形で外部に出力する出力処理とを行うデータ成形部と、
前記データ成形部から電気信号の形で出力される前記光変換対象パケットを受け取り、受け取った前記光変換対象パケットを光信号に変換して、光パケット信号として外部に出力する電気−光変換部と
を備えたことを特徴とする電気−光変換装置。
（付記１０）
前記同期時間長値は、前記光パケットを受信する装置で実際に使用される同期回路での同期の確立に要する実際の時間に等しい値である
ことを特徴とする付記８または９に記載の電気−光変換装置。
（付記１１）
光源ＯＮ符号の時間長を示す光源発光安定化時間長値を記憶部から読み出す時間長値読み出しステップと、
外部装置から電気信号の形で受け取ったパケットの前に、前記読み出しステップで読み出された前記光源発光安定化時間長値で示される時間長を有する光源ＯＮ符号、または、該光源ＯＮ符号に続けて同期符号、を付加する付加ステップと、
前記パケットを予め定められた符号化方法により符号化して符号化パケットに変換する符号化ステップと、
前記光源ＯＮ符号および前記符号化パケットを含む光変換対象パケットを、光源を含む電気−光変換部により光信号に変換し、光パケット信号として送信先へ送出する光変換ステップと
を含み、
前記光変換ステップにおいて、前記光源は、前記光変換対象パケットの前記光源ＯＮ符号の先端部を受け取った時点から発光を開始する
ことを特徴とする電気−光変換方法。
（付記１２）
光源ＯＮ符号の時間長を示す光源発光安定化時間長値を記憶部から読み出す時間長値読み出しステップと、
外部装置から電気信号の形で受け取ったパケットの前に、前記読み出しステップで読み出された前記光源発光安定化時間長値で示される時間長を有する前記光源ＯＮ符号、または、該光源ＯＮ符号に続けて同期符号、を付加する付加ステップと、
前記光源ＯＮ符号、および前記パケットを含む光変換対象パケットを、光源を含む電気−光変換部により光信号に変換し、光パケット信号として送信先に送出する光変換ステップと
を含み、
前記光変換ステップにおいて、前記光源は、前記光変換対象パケットの前記光源ＯＮ符号の先端部を受け取った時点から発光を開始する
ことを特徴とする電気−光変換方法。
（付記１３）
外部装置から電気信号の形で受け取ったパケットを予め定められた符号化方法により符号化して符号化パケットに変換する符号化ステップと、
前記符号化パケットを含む光変換対象パケットを光源を含む電気−光変換部により光信号に変換し、光パケット信号として送信先に送出する光変換ステップと
を含み、
前記光変換ステップにおいて、光源発光安定化時間長値が光源情報記憶部から読み出され、前記光源は、前記光変換対象パケットの前記光パケット信号への変換の開始時点よりも前記光源発光安定化時間長値分だけ前の時点から発光を開始する
ことを特徴とする電気−光変換方法。
（付記１４）
外部装置から電気信号の形で受け取ったパケットを含む光変換対象パケットを光信号に変換し、光パケット信号として送信先に送出する光変換ステップと
を含み、
前記光変換ステップにおいて、光源発光安定化時間長値が光源情報記憶部から読み出され、前記光源は、前記光変換対象パケットの前記光パケット信号への変換の開始時点よりも前記光源発光安定化時間長値分だけ前の時点から発光を開始する
ことを特徴とする電気−光変換方法。
（付記１５）
前記光源発光安定化時間長値は、実際に使用される前記光源が発光を開始し始めてから発光が安定するまでの時間に等しい値である
ことを特徴とする付記１１乃至１４のいずれかに記載の電気−光変換方法。
（付記１６）
前記記憶部には、光源ＯＦＦ符号の時間長を示す光源発光停止時間長値が記憶され、
前記外部装置から電気信号の形で受け取ったパケットの後に、前記光源発光停止時間長値で示される時間長を有する前記光源ＯＦＦ符号を付加する光源ＯＦＦ符号付加ステップを含み、
前記光変換ステップにおいて、前記光源ＯＮ符号、前記同期符号、前記符号化パケットおよび前記光源ＯＦＦ符号を含む光変換対象パケットを光信号に変換し、
前記光源は、前記光変換対象パケットの前記光源ＯＦＦ符号の先端部を受け取った時点から発光の停止を開始する
ことを特徴とする付記１１または１２記載の電気−光変換方法。
（付記１７）
前記光源発光停止時間長値は、実際に使用される前記光源の発光が停止し始めてから完全に発光が停止するまでの時間と等しい値である
ことを特徴とする付記１６記載の電気−光変換方法。
（付記１８）
同期符号の時間長を示す同期時間長値を記憶部から読み出す時間長値読み出しステップと、
外部装置から電気信号の形で受け取ったパケットの前に、前記同期時間長値で示される時間長値を有する前記同期符号を付加する同期符号付加ステップと、
前記パケットを予め定められた符号化方法により符号化して符号化パケットに変換する符号化ステップと、
前記同期符号および前記符号化パケットを含む光変換対象パケットを光信号に変換し、光パケット信号として送信先へ送出する光変換ステップと
を含むことを特徴とする電気−光変換方法。
（付記１９）
同期符号の時間長を示す同期時間長値を記憶部から前読み出す時間長値読み出しステップと、
外部装置から電気信号の形で受け取ったパケットの前に、前記同期時間長値で示される時間長値を有する前記同期符号を付加する同期符号付加ステップと、
前記同期符号および前記パケットを含む光変換対象パケットを光信号に変換し、光パケットとを含む光パケット信号として送信先に送出する光変換ステップと
を含むことを特徴とする電気−光変換方法。
（付記２０）
前記同期時間長値は、前記光パケットを受信する装置で実際に使用される同期回路での同期の確立に要する実際の時間に等しい値である
ことを特徴とする付記１８または１９に記載の電気−光変換方法。
【符号の説明】
【００６６】
１    データ成形部
３    電気−光変換部
４    ＯＮＵ
６    パケット
７    光変換対象パケット
８    無信号状態
９    同期符号
１０    符合化パケット
１１    光同期符号
１２    光パケット
１３    光パケット信号
１４    ＯＬＴ
１５    対向装置
１６    同期回路
１７    光変換対象パケット
１８    光源ＯＮ符号
１９    光源ＯＦＦ符号
２０    発光安定状態推移部
２１    発光停止状態推移部
３０    記憶部
３２    光ファイバ
３３    同期情報記憶部
３４    光源情報記憶部
３５    光源
５１    データ成形部
５３    電気−光変換部
５４    ＯＮＵ
１００    データ成形部
３００    電気−光変換部
【図１Ａ】
2015012314.tif 000003
【図１Ｂ】
2015012314.tif 000004
【図２Ａ】
2015012314.tif 000005
【図２Ｂ】
2015012314.tif 000006
【図３Ａ】
2015012314.tif 000007
【図３Ｂ】
2015012314.tif 000008
【図４Ａ】
2015012314.tif 000009
【図４Ｂ】
2015012314.tif 000010
【図５Ａ】
2015012314.tif 000011
【図５Ｂ】
2015012314.tif 000012